(57)【要約】    【課題】呼出情報、内部エラー情報、患者情報等の通信データログを廊下灯に記憶および表示することにより、通信データログに異常が発生した場合における異常発生源の推定を廊下灯にて容易に行い、迅速な対応を可能にする。    【解決手段】廊下灯ラインＬ2上を伝送される呼出情報、内部エラー情報、患者情報等の通信データログを廊下灯２０ａ、２０ｂ、・・・のメモリ２０２に記憶し、必要に応じて表示部２００の画面上に表示させる。また、廊下灯ライン上を伝送される呼出情報、内部エラー情報、患者情報等の通信データログを、通信時刻とともに廊下灯のメモリに記憶させ、必要に応じて表示部の画面上に表示させるにあたって、この通信時刻は、ナースコール親機３０のリアルタイムクロックにて計時されている時刻と整合性がとられる。  【選択図】図３
2007229128.tif 000002
【特許請求の範囲】
【請求項１】
病院や老人福祉施設等の各病床に設置される被介護者が看護者を呼び出すためのベッド子機（１ａ〜４ａ、１ｂ〜４ｂ、・・・）と、前記ベッド子機に接続され、前記被介護者が前記看護者との間で通話を成立させるためのマイク（１１２）およびスピーカ（１１３）を有するプレート子機（１１ａ〜１４ａ、１１ｂ〜１４ｂ、・・・）と、子機ライン（Ｌ1a、Ｌ1b、・・・）を経由して前記プレート子機に接続され、前記ベッド子機からの呼び出しを前記看護者に報知するための表示部（２００）を有する廊下灯（２０ａ、２０ｂ、・・・）と、前記廊下灯に廊下灯ライン（Ｌ2）を経由して接続され前記ベッド子機からの呼び出しを確認した前記看護者が応答して前記被介護者との間で通話を成立させるための通話部（３０１、３０２、３０４）を有するナースコール親機（３０）とを設け、
前記廊下灯は、前記廊下灯ライン上を伝送される呼出情報、内部エラー情報、患者情報等の通信データログを記憶するためのメモリ（２０２）と、前記メモリに記憶された前記通信データログを前記表示部に表示させるためのＣＰＵ（２０５）とを備えたことを特徴とするナースコールシステム。
【請求項２】
前記廊下灯は、前記通信データログとともに通信時刻を前記表示部に表示させるためのＣＰＵ（２０５）を備え、
前記ナースコール親機は、前記通信時刻を調整する時刻調整信号を生成し、前記廊下灯ラインを経由して前記廊下灯に送信するためのリアルタイムクロック（３０６）を備えたことを特徴とする請求項１記載のナースコールシステム。
【発明の詳細な説明】
【技術分野】
【０００１】
本発明は、病院や老人福祉施設等に設置されるナースコールシステムに係り、特に、呼出情報、内部エラー情報、患者情報等の通信データログを廊下灯に記憶および表示することができるナースコールシステムに関する。
【背景技術】
【０００２】
従来から、インターホンシステムを設置、施工した後に発生する接続ミス、ソフトウェアのバグ、異常な動作等のエラーの解析を迅速に行うことができる集合住宅インターホンシステムが開示されている（例えば、特許文献１を参照。）。
【０００３】
この集合住宅インターホンシステムによれば、制御機のＣＰＵにて検出されたエラーログ、例えば、集合玄関機、管理室親機、居室機との通信エラー、制御機内部の処理エラーを、ネットワークを介して集合住宅の防犯／安全を管理する業者等に設置される遠隔監視サーバーパソコンへ送信し、エラーログに対応した異常種別を解析し表示させることにより、集合住宅の防犯／安全を管理する業者等は、遠隔に居るにも拘わらず、エラーの具体的な内容およびエラーが発生した当該インターホンシステムが設置された集合住宅を正確に把握することができ、迅速な対応が可能となる。
【０００４】
【特許文献１】特開２００２−３１４６９７号公報（段落番号「００１４」乃至「００２９」、第１図）
【発明の開示】
【発明が解決しようとする課題】
【０００５】
背景技術に記載した特許文献１の集合住宅インターホンシステムが有する接続ミス、ソフトウェアのバグ、異常な動作等のエラーの解析技術を、病院や老人福祉施設等に設置されるナースコールシステムに適用するにあたり、データ信号線は、病室内の各種機器等によるノイズ、配線ミス等でデータエラーが低い頻度で稀に発生するため、このデータエラーを確認するために当該データをログとして時系列的に記録している。
【０００６】
しかしながら、データエラーを検出／確認する手段は親機のみに備えられているため、この親機が設置されるナースセンター内に在室中の看護師以外の保守業者等は、その確認作業に煩雑さを有するばかりでなく、親機にて受信できなかったデータはログに一切残らないため、データエラーの発生源を特定することが非常に困難であった。
【０００７】
本発明は、この難点を解消するためになされたもので、呼出情報、内部エラー情報、患者情報等の通信データログを廊下灯に記憶および表示することにより、通信データログに異常が発生した場合における異常発生源の推定を廊下灯にて容易に行い、迅速な対応を可能にしたナースコールシステムを提供することを目的としている。
【課題を解決するための手段】
【０００８】
前述の目的を達成するため、本発明の第１の態様であるナースコールシステムは、病院や老人福祉施設等の各病床に設置される被介護者が看護者を呼び出すためのベッド子機と、ベッド子機に接続され、被介護者が看護者との間で通話を成立させるためのマイクおよびスピーカを有するプレート子機と、子機ラインを経由してプレート子機に接続され、ベッド子機からの呼び出しを看護者に報知するための表示部を有する廊下灯と、廊下灯に廊下灯ラインを経由して接続されベッド子機からの呼び出しを確認した看護者が応答して被介護者との間で通話を成立させるための通話部を有するナースコール親機とを設けたものである。廊下灯は、廊下灯ライン上を伝送される呼出情報、内部エラー情報、患者情報等の通信データログを記憶するためのメモリと、メモリに記憶された通信データログを表示部に表示させるためのＣＰＵとを備えたものである。
【０００９】
また、本発明の第２の態様であるナースコールシステムは、本発明の第１の態様において、廊下灯は、通信データログとともに通信時刻を表示部に表示させるためのＣＰＵを備えたものである。ナースコール親機は、通信時刻を調整する時刻調整信号を生成し、廊下灯ラインを経由して廊下灯に送信するためのリアルタイムクロックを備えたものである。
【発明の効果】
【００１０】
本発明のナースコールシステムによれば、廊下灯ライン上を伝送される呼出情報、内部エラー情報、患者情報等の通信データログを廊下灯のメモリに記憶し、必要に応じて表示部の画面上に表示させることにより、この通信データログに異常が発生した場合における異常発生源の推定を廊下灯にて容易に行うことができ、保守業者等による迅速な対応が可能となる。
【００１１】
また、本発明のナースコールシステムによれば、廊下灯ライン上を伝送される呼出情報、内部エラー情報、患者情報等の通信データログを、通信時刻とともに廊下灯のメモリに記憶させ、必要に応じて表示部の画面上に表示させるにあたって、この通信時刻は、ナースコール親機のリアルタイムクロックにて計時されている時刻と整合性がとられているため、保守業者等は、廊下灯のメモリに記憶されている通信データログと親機に記憶されている通信データログとを時刻によって比較／参照するため、異常発生源をより正確に推定でき、迅速な対応が可能となる。
【発明を実施するための最良の形態】
【００１２】
以下、本発明のナースコールシステムを適用した最良の実施の形態例について、図面を参照して説明する。
【００１３】
図１は、本発明の実施例によるナースコールシステムの全体構成を示すシステム説明図である。
【００１４】
図１に示すナースコールシステムは、病院や老人福祉施設等に設置されるものである。このナースコールシステムには、病室Ａ、Ｂ、・・・内の各病床にそれぞれ設置され被介護者、例えば、患者が、看護者、例えば、ナースセンター内に在室中の看護師を呼び出すにあたり、通常のナースコール呼び出し、トイレ介助を求めるトイレ呼び出し、点滴終了を知らせる呼び出し等、呼出種別毎で異なる呼出操作を行うためのベッド子機、ここでは、病室Ａ、Ｂ、・・・毎４台ずつのベッド子機１ａ〜４ａ、１ｂ〜４ｂ、・・・と、病室Ａ、Ｂ、・・・内の各病床の所定の場所、例えば、壁面にそれぞれ設置され、ベッド子機１ａ〜４ａ、１ｂ〜４ｂ、・・・からの呼び出しを呼出種別毎で検出し、検出された旨の呼出信号を生成するとともに、患者が看護師との間で通話を成立させるためのプレート子機１１ａ〜１４ａ、１１ｂ〜１４ｂ、・・・と、病室Ａ、Ｂ、・・・毎、当該病室の出入口の周囲近傍にそれぞれ設置され、子機ラインＬ1a、Ｌ1b、・・・を経由して接続（渡り配線接続）されたプレート子機１１ａ〜１４ａ、１１ｂ〜１４ｂ、・・・から伝送されてくる呼出信号をもとに、ベッド子機１ａ〜４ａ、１ｂ〜４ｂ、・・・からの呼び出し、すなわち、患者からの呼び出しを看護師に報知するための廊下灯２０ａ、２０ｂ、・・・と、ナースセンター内に設置され、廊下灯ラインＬ2を経由して接続（渡り配線接続）された廊下灯２０ａ、２０ｂ、・・・を経由して伝送されてくるプレート子機１１ａ〜１４ａ、１１ｂ〜１４ｂ、・・・からの呼出信号を受信して呼出報知を行い、この呼出報知を確認した看護師が応答して患者との間で通話を成立させるためのナースコール親機３０とが設けられている。
【００１５】
なお、廊下灯２０ａ、２０ｂ、・・・に子機ラインＬ1a、Ｌ1b、・・・を経由して接続（渡り配線接続）されるプレート子機は、４台（１１ａ〜１４ａ、１１ｂ〜１４ｂ、・・・）に限定されるものではなく、最大６台まで設けることができる。また、ナースコール親機３０に廊下灯ラインＬ2を経由して接続（渡り配線接続）される廊下灯についても、最大６０台まで設けることができる。
【００１６】
同図において、ベッド子機１ａ〜４ａ、１ｂ〜４ｂ、・・・はそれぞれ同様な構成であり、呼出ボタン１００を有している。この呼出ボタン１００は、通常のナースコール呼び出し、トイレ介助を求めるトイレ呼び出し、点滴終了を知らせる呼び出し等、呼出種別毎で異なる呼出操作が、患者によって行われるものである。
【００１７】
また、プレート子機１１ａ〜１４ａ、１１ｂ〜１４ｂ、・・・はそれぞれ同様な構成であり、接続端子１１０、呼出確認灯１１１、マイク（以下、子機マイクという。）１１２、スピーカ（以下、子機スピーカという。）１１３を有している。
【００１８】
このプレート子機１１ａ〜１４ａ、１１ｂ〜１４ｂ、・・・において、接続端子１１０は、ベッド子機１ａ〜４ａ、１ｂ〜４ｂ、・・・を接続（ライン接続）するためのものである。
【００１９】
プレート子機１１ａ〜１４ａ、１１ｂ〜１４ｂ、・・・の呼出確認灯１１１は、接続端子１１０に接続（ライン接続）されたベッド子機１ａ〜４ａ、１ｂ〜４ｂ、・・・からの呼び出しを、呼出種別毎異なるパターンで表示するためのものである。この呼出確認灯１１１としては、例えば、ＬＥＤ（Light Emitting Diode）等の発光素子が好適とされる。
【００２０】
プレート子機１１ａ〜１４ａ、１１ｂ〜１４ｂ、・・・の子機マイク１１２および子機スピーカ１１３は、患者が看護師との間で通話を成立させるにあたり、通話音声（送話音声、受話音声）を入出力するためのものである。
【００２１】
また、廊下灯２０ａ、２０ｂ、・・・はそれぞれ同様な構成であり、表示部（以下、廊下灯表示部という。）２００、操作部（以下、廊下灯操作部という。）２０１を有している。
【００２２】
この廊下灯２０ａ、２０ｂ、・・・において、廊下灯表示部２００は、ベッド子機１ａ〜４ａ、１ｂ〜４ｂ、・・・からの呼び出しを、呼出種別毎異なるパターンで表示するとともに、廊下灯ラインＬ2上を伝送される後述する呼出情報、内部エラー情報、患者情報等の通信データログおよび通信時刻をそれぞれ表示するためのものである。この廊下灯表示部２００としては、例えば、ＬＣＤ（Liquid Crystal Display）、有機ＥＬ（Electro Luminescence）ディスプレイ等の各種のディスプレイが好適とされる。
【００２３】
廊下灯２０ａ、２０ｂ、・・・の廊下灯操作部２０１は、ベッド子機１ａ〜４ａ、１ｂ〜４ｂ、・・・からの呼び出しを確認した看護師により操作され、当該廊下灯を呼出状態から待受状態に復旧させるとともに、後述するメモリ２０２に予め記憶されている通信データログを、通信時刻とともに廊下灯表示部２００に表示させるためのものである。この廊下灯操作部２０１としては、例えば、廊下灯表示部２００の前面に設けられるタッチパネルやベッド子機１ａ〜４ａ、１ｂ〜４ｂ、・・・（プレート子機１１ａ〜１４ａ、１１ｂ〜１４ｂ、・・・）毎にそれぞれ割り当てられた複数個の操作ボタン等が好適とされる。
【００２４】
さらに、ナースコール親機３０は、表示部（以下、親機表示部という。）３００、スピーカ（以下、親機スピーカという。）３０１、マイク（以下、親機マイクという。）３０２、操作部（以下、親機操作部という。）３０３、送受話器３０４を有している。
【００２５】
このナースコール親機３０において、親機表示部３００は、ベッド子機１ａ〜４ａ、１ｂ〜４ｂ、・・・からの呼び出しを、呼出種別毎異なるパターンで表示するためのものである。この親機表示部３００としては、例えば、ＬＣＤ、有機ＥＬディスプレイ等の各種のディスプレイや、べッド子機１ａ〜４ａ、１ｂ〜４ｂ、・・・（プレート子機１１ａ〜１４ａ、１１ｂ〜１４ｂ、・・・）毎にそれぞれ割り当てられた複数個のＬＥＤ等の発光素子が好適とされる。
【００２６】
ナースコール親機３０の親機スピーカ３０１は、ベッド子機１ａ〜４ａ、１ｂ〜４ｂ、・・・からの呼び出しを、呼出種別毎異なるパターンの呼出音や音声メッセージ等を放音させて呼出報知を行うとともに、この呼び出しに応答した看護師により通話が成立されているときに患者の通話音声（受話音声）が出力されるものである。
【００２７】
ナースコール親機３０の親機マイク３０２は、ベッド子機１ａ〜４ａ、１ｂ〜４ｂ、・・・からの呼び出しに応答した看護師により通話が成立されているときに当該看護師の通話音声（送話音声）が入力されるものである。
【００２８】
ナースコール親機３０の親機操作部３０３は、親機スピーカ３０１および親機マイク３０２を使用した通話（拡声通話）を成立させるにあたり、看護師が応答操作を行うとともに、後述するリアルタイムクロック３０６にて計時されている時刻の調整操作を行うためのものである。この親機操作部３０３としては、例えば、親機表示部３００の前面に設けられるタッチパネルやベッド子機１ａ〜４ａ、１ｂ〜４ｂ、・・・（プレート子機１１ａ〜１４ａ、１１ｂ〜１４ｂ、・・・）毎にそれぞれ割り当てられた複数個の操作ボタン等が好適とされる。
【００２９】
ナースコール親機３０の送受話器３０４は、前述の親機スピーカ３０１および親機マイク３０２を使用した通話（拡声通話）とは異なる手段で、ベッド子機１ａ〜４ａ、１ｂ〜４ｂ、・・・からの呼び出しに応答した看護師により通話が成立されているときに当該看護師の通話音声（送話音声）および患者の通話音声（受話音声）が入出力されるものである。
【００３０】
図２は、プレート子機１１ａ〜１４ａ、１１ｂ〜１４ｂ、・・・の具体的な構成を示すブロック図である。また、図３は、廊下灯２０ａ、２０ｂ、・・・の具体的な構成を示すブロック図である。さらに、図４は、ナースコール親機３０の具体的な構成を示すブロック図である。
【００３１】
図２に示すプレート子機１１ａ〜１４ａ、１１ｂ〜１４ｂ、・・・はそれぞれ同様な構成であり、前述の接続端子１１０、呼出確認灯１１１、子機マイク１１２および子機スピーカ１１３と、音声コーデック（以下、子機音声コーデックという。）１１４と、増幅器１１５と、信号送受信回路（以下、子機信号送受信回路という。）１１６と、ＣＰＵ（Central Processing Unit、以下、子機ＣＰＵという。）１１７とが備えられている。
【００３２】
このプレート子機１１ａ〜１４ａ、１１ｂ〜１４ｂ、・・・において、子機音声コーデック１１４は、子機マイク１１２に入力された通話音声（送話音声）であり電気信号に信号処理されたアナログ音声信号をアナログ／デジタル変換するとともに、子機信号送受信回路１１６を経由して伝送されてくるデジタル音声信号をデジタル／アナログ変換して増幅器１１５に送出するためのものである。
【００３３】
プレート子機１１ａ〜１４ａ、１１ｂ〜１４ｂ、・・・の増幅器１１５は、子機音声コーデック１１４を経由してデジタル／アナログ変換されたアナログ音声信号を増幅して子機スピーカ１１３に送出するためのものである。
【００３４】
プレート子機１１ａ〜１４ａ、１１ｂ〜１４ｂ、・・・の子機信号送受信回路１１６は、子機ラインＬ1a、Ｌ1b、・・・および子機音声コーデック１１４の間の信号伝送路（通話路）、子機ラインＬ1a、Ｌ1b、・・・および子機ＣＰＵ１１７の間の信号伝送路をそれぞれ形成するためのものである。
【００３５】
プレート子機１１ａ〜１４ａ、１１ｂ〜１４ｂ、・・・の子機ＣＰＵ１１７は、当該プレート子機の構成各部／回路をそれぞれ制御するにあたり、例えば、呼出確認灯１１１への点滅／点灯／消灯制御、子機音声コーデック１１４への駆動制御、増幅器１１５への利得制御等を行うためのものである。
【００３６】
図３に示す廊下灯２０ａ、２０ｂ、・・・はそれぞれ同様な構成であり、前述の廊下灯表示部２００および廊下灯操作部２０１と、メモリ（以下、廊下灯メモリという。）２０２と、２つの信号送受信回路（以下、それぞれ子機側廊下灯信号送受信回路、親機側廊下灯送受信回路という。）２０３、２０４と、ＣＰＵ（以下、廊下灯ＣＰＵという。）２０５とが備えられている。
【００３７】
この廊下灯２０ａ、２０ｂ、・・・において、廊下灯メモリ２０２は、廊下灯ラインＬ2上を伝送される後述する呼出情報、内部エラー情報、患者情報等の通信データログを通信時刻に割り当てて記憶するためのものである。また、廊下灯メモリ２０２としては、例えば、ＲＡＭ（Random Access Memory）、ＥＥＰＲＯＭ（Electrically Erasable Programmable Read Only Memory）等の各種の記憶媒体が好適とされる。
【００３８】
廊下灯２０ａ、２０ｂ、・・・の子機側廊下灯信号送受信回路２０３は、子機ラインＬ1a、Ｌ1b、・・・および廊下灯ＣＰＵ２０５の間の信号伝送路を形成するためのものである。
【００３９】
廊下灯２０ａ、２０ｂ、・・・の親機側廊下灯信号送受信回路２０４は、廊下灯ラインＬ2および廊下灯ＣＰＵ２０５の間の信号伝送路を形成するためのものである。
【００４０】
廊下灯２０ａ、２０ｂ、・・・の廊下灯ＣＰＵ２０５は、当該廊下灯の構成各部／回路をそれぞれ制御するにあたり、例えば、廊下灯表示部２００への呼出報知および表示制御、廊下灯操作部２０１の操作検出、廊下灯メモリ２０２への記憶（書き込み）／読出制御等を行うためのものである。
【００４１】
図４に示すナースコール親機３０には、前述の親機表示部３００、親機スピーカ３０１、親機マイク３０２、親機操作部３０３および送受話器３０４と、音声コーデック（以下、親機音声コーデックという。）３０５と、リアルタイムクロック３０６と、メモリ（以下、親機メモリという。）３０７と、信号送受信回路（以下、親機信号送受信回路という。）３０８と、ＣＰＵ（以下、親機ＣＰＵという。）３０９とが備えられている。
【００４２】
このナースコール親機３０において、親機音声コーデック３０５は、親機マイク３０２または送受話器３０４のマイク３０４ａに入力された通話音声（送話音声）であり電気信号に信号処理されたアナログ音声信号をアナログ／デジタル変換するとともに、親機信号送受信回路３０８を経由して伝送されてくるデジタル音声信号をデジタル／アナログ変換して親機スピーカ３０１または送受話器３０４のレシーバ３０４ｂに送出するためのものである。
【００４３】
ナースコール親機３０のリアルタイムクロック３０６は、廊下灯２０ａ、２０ｂ、・・・の廊下灯表示部２００に表示させる通信時刻を調整する時刻調整信号を生成し、廊下灯ラインＬ2を経由して当該廊下灯に送信するためのものである。
【００４４】
ナースコール親機３０の親機メモリ３０７は、廊下灯２０ａ、２０ｂ、・・・の廊下灯メモリ２０２と同様、廊下灯ラインＬ2上を伝送される後述する呼出情報、内部エラー情報、患者情報等の通信データログを通信時刻に割り当てて記憶するためのものである。また、親機メモリ３０７としては、例えば、ＲＡＭ、ＥＥＰＲＯＭ等の各種の記憶媒体が好適とされる。
【００４５】
ナースコール親機３０の親機信号送受信回路３０８は、廊下灯ラインＬ2および親機音声コーデック３０５の間の信号伝送路（通話路）、廊下灯ラインＬ2および親機ＣＰＵ３０９の間の信号伝送路をそれぞれ形成するためのものである。
【００４６】
ナースコール親機３０の親機ＣＰＵ３０９は、当該ナースコール親機の構成各部／回路をそれぞれ制御するにあたり、例えば、親機表示部３００および親機スピーカ３０１への呼出報知制御、親機操作部３０３の操作検出、送受話器３０４の取り上げの有／無の検出、親機音声コーデック３０５への駆動制御、リアルタイムクロック３０６にて計時されている時刻検出および時刻調整、親機メモリ３０７への記憶（書き込み）／読出制御等を行うためのものである。
【００４７】
このように構成された本発明の実施例によるナースコールシステムにおいて、以下、具体的な動作について説明する。
【００４８】
図１に示す病院や老人福祉施設等の病室Ａ、Ｂ、・・・内の各病床に居る患者のうち、ここでは、病室Ａ内でプレート子機１１ａが壁面に設置されている病床の患者が、ナースセンター内に在室中の看護師を呼び出すにあたり、ベッド子機１ａの呼出ボタン１００を使用して、通常のナースコール呼び出しのために所定の呼出操作を行うと、このベッド子機１ａが接続端子１１０に接続（ライン接続）されている図２に示すプレート子機１１ａの子機ＣＰＵ１１７は、通常のナースコール呼び出しがある旨の呼出種別および自プレート子機に予め割り当てられている子機ＩＤを付加させた呼出信号を生成する。この呼出信号は、子機ラインＬ1aが断線しておらず、さらにはプレート子機１１ａの信号送信動作および廊下灯２０ａの信号受信／検出動作がそれぞれ正常である場合、子機ＣＰＵ１１７から子機信号送受信回路１１６、子機ラインＬ1a、図３に示す廊下灯２０ａの子機側廊下灯信号送受信回路２０３を経由して廊下灯ＣＰＵ２０５に伝送される。
【００４９】
一方、プレート子機１１ａの接続端子１１０からのベッド子機１ａの脱落、子機ラインＬ1aの断線、プレート子機１１ａの呼出検出／信号送信動作の故障、廊下灯２０ａの信号受信／検出動作の故障のうち少なくとも何れか１のエラー（動作エラー）により異常が発生している場合には、廊下灯２０ａの廊下灯ＣＰＵ２０５に呼出信号が伝送されることはない。
【００５０】
ここで、子機ラインＬ1aが断線しておらず、さらにはプレート子機１１ａの信号送信動作および廊下灯２０ａの信号受信／検出動作がそれぞれ正常である場合、廊下灯２０ａの廊下灯ＣＰＵ２０５は、プレート子機１１ａの子機ＣＰＵ１１７から伝送されてきた呼出信号に付加されている呼出種別および子機ＩＤをもとに、ベッド子機１ａを使用した患者からの通常のナースコール呼び出しがあることを検出し、その旨の呼出報知について廊下灯表示部２００を使用して行うことができる。
【００５１】
具体的な呼出報知としては、例えば、ベッド子機１ａを使用した患者からの通常のナースコール呼び出しある旨の文字メッセージや絵データ等が、当該呼出信号を検出した通信時刻とともに廊下灯２０ａの廊下灯表示部２００の画面上に表示される。
【００５２】
また、廊下灯２０ａの廊下灯ＣＰＵ２０５は、ベッド子機１ａを使用した患者からの通常のナースコール呼び出しがある旨の呼出情報の通信データログを、通信時刻に割り当てて廊下灯メモリ２０２に記憶することができる。
【００５３】
一方、子機ラインＬ1aの断線、プレート子機１１ａの呼出検出／信号送信動作の故障および廊下灯２０ａの信号受信／検出動作の故障のうち少なくとも何れか１のエラー（動作エラー）により異常が発生している場合、廊下灯２０ａの廊下灯ＣＰＵ２０５は、呼出信号を（正常に）受信できず、ベッド子機１ａを使用した患者からの通常のナースコール呼び出しがある旨の呼出情報の通信データログが、廊下灯メモリ２０２に記憶されることはない。
【００５４】
前述までの説明から明らかなように、呼出情報の通信データログが廊下灯２０ａの廊下灯メモリ２０２に何ら記憶されていないとき、保守業者等が廊下灯操作部２０１を使用して所定の読出操作を行うと、この読出操作を検出した廊下灯ＣＰＵ２０５により制御される廊下灯表示部２００の画面上には何らデータ表示されないため、これを確認した保守業者等は、ナースコール親機３０の親機メモリ３０７に予め記憶されている通信データログと比較／参照することにより、子機ラインＬ1aの断線、プレート子機１１ａの呼出検出／信号送信動作の故障および廊下灯２０ａの信号受信／検出動作の故障のうち少なくとも何れか１のエラー（動作エラー）により異常が発生していることを容易に推定でき、迅速な対応が可能となる。
【００５５】
次に、廊下灯ラインＬ2が断線しておらず、さらには廊下灯２０ａの信号送信動作、他の廊下灯２０ｂ、・・・の信号受信／検出動作およびナースコール親機３０の信号受信／検出動作がそれぞれ正常な場合、廊下灯２０ａの廊下灯ＣＰＵ２０５は、プレート子機１１ａの子機ＣＰＵ１１７から伝送されてきた呼出信号を、親機側廊下灯送受信回路２０４、廊下灯ラインＬ2、図４に示すナースコール親機３０の親機信号送受信回路３０８を経由して親機ＣＰＵ３０９に転送するとともに、親機側廊下灯送受信回路２０４、廊下灯ラインＬ2を経由して廊下灯２０ａを除く他の廊下灯２０ｂ、・・・の親機側廊下灯信号送受信回路２０４を経由して廊下灯ＣＰＵ２０５にそれぞれ転送することができる。
【００５６】
なお、廊下灯２０ａを除く他の廊下灯２０ｂ、・・・の廊下灯ＣＰＵ２０５では、それぞれ伝送されてきた呼出信号を有効なデータ信号とは判断しないことから、廊下灯２０ａの廊下灯表示部２００のような呼出報知は行われない。
【００５７】
一方、廊下灯ラインＬ2の断線、廊下灯２０ａの信号送信動作の故障およびナースコール親機３０の信号受信／検出動作の故障のうち少なくとも何れか１のエラー（動作エラー）により異常が発生している場合には、ナースコール親機３０の親機信号送受信回路３０８に呼出信号が伝送されることはない。
【００５８】
ここで、廊下灯ラインＬ2が断線しておらず、さらには廊下灯２０ａの信号送信動作およびナースコール親機３０の信号受信／検出動作がそれぞれ正常な場合、ナースコール親機３０の親機ＣＰＵ３０９は、プレート子機１１ａの子機ＣＰＵ１１７から伝送されてきた呼出信号に付加されている呼出種別および子機ＩＤをもとに、ベッド子機１ａを使用した患者からの通常のナースコール呼び出しがあることを正常に検出し、その旨の呼出報知について親機表示部３００および親機スピーカ３０１をそれぞれ使用して行うことができる。また、ナースコール親機３０の親機ＣＰＵ３０９は、ベッド子機１ａを使用した患者からの通常のナースコール呼び出しがある旨の呼出情報の通信データログを、通信時刻に割り当てて親機メモリ３０７に記憶することができる。
【００５９】
具体的な呼出報知としては、例えば、ナースコール親機３０の親機表示部３００を構成する複数個のＬＥＤのうち呼出元のベッド子機１ａ（プレート子機１１ａ）に予め割り当てられているＬＥＤが通常のナースコール呼び出しを示す所定のパターンで点滅／点灯されるとともに、親機スピーカ３０１から所定のパターンの呼出音や音声メッセージ等が放音される。
【００６０】
なお、ナースコール親機３０の親機表示部３００として、例えば、ＬＣＤや有機ＥＬディスプレイ等の各種のディスプレイが適用されている場合には、その画面上にベッド子機１ａを使用した患者からの通常のナースコール呼び出しがある旨の文字メッセージや絵データ等が表示される。
【００６１】
次に、ベッド子機１ａを使用した患者からの通常のナースコール呼び出しがあることを正常に検出できたナースコール親機３０の親機ＣＰＵ３０９は、プレート子機１１ａの呼出確認灯１１１を所定のパターンで点滅／点灯させるためのデータ信号として、プレート子機１１ａに予め割り当てられている子機ＩＤおよび廊下灯２０ａに予め割り当てられている廊下灯ＩＤを付加させた呼出確認信号を生成する。この呼出確認信号は、廊下灯ラインＬ2が断線しておらず、さらにはナースコール親機３０の信号送信動作および廊下灯２０ａ、２０ｂ、・・・の信号受信／検出動作がそれぞれ正常な場合、親機ＣＰＵ３０９から親機信号送受信回路３０８、廊下灯ラインＬ2、廊下灯２０ａ、２０ｂ、・・・の親機側廊下灯信号送受信回路２０４を経由して廊下灯ＣＰＵ２０５にそれぞれ伝送される。また、ナースコール親機３０の親機ＣＰＵ３０９は、ベッド子機１ａを使用した患者からの通常のナースコール呼び出しがある旨の呼出情報の通信データログを、通信時刻に割り当てて親機メモリ３０７に記憶することができる。
【００６２】
一方、廊下灯ラインＬ2の断線、ナースコール親機３０の信号送信動作の故障および廊下灯２０ａ、２０ｂ、・・・の信号受信／検出動作の故障のうち少なくとも何れか１のエラー（動作エラー）により異常が発生している場合には、廊下灯２０ａ、２０ｂ、・・・の廊下灯ＣＰＵ２０５にそれぞれ呼出確認信号が伝送されることはないが、親機メモリ３０７には、ベッド子機１ａを使用した患者からの通常のナースコール呼び出しがある旨の呼出情報の通信データログが記憶されている。
【００６３】
ここで、廊下灯ラインＬ2が断線しておらず、さらにはナースコール親機３０の信号送信動作および廊下灯２０ａ、２０ｂ、・・・の信号受信／検出動作がそれぞれ正常な場合、廊下灯２０ａ、２０ｂ、・・・の廊下灯ＣＰＵ２０５は、それぞれナースコール親機３０の親機ＣＰＵ３０９から伝送されてきた呼出確認信号に付加されている廊下灯ＩＤと自廊下灯に予め割り当てられている廊下灯ＩＤとを照合する。ここでは、廊下灯２０ａの廊下灯ＣＰＵ２０５のみ廊下灯ＩＤが一致し、ベッド子機１ａを使用した患者からの通常のナースコール呼び出しがナースコール親機３０の親機ＣＰＵ３０９にて正常に呼出検出された旨の文字メッセージや絵データ等を、当該呼出確認信号を検出した通信時刻とともに廊下灯表示部２００の画面上に表示させることができる。
【００６４】
また、廊下灯２０ａの廊下灯ＣＰＵ２０５は、ベッド子機１ａを使用した患者からの通常のナースコール呼び出しがナースコール親機３０の親機ＣＰＵ３０９にて正常に検出（呼出検出）された旨の呼出確認情報の通信データログを、通信時刻に割り当てて廊下灯メモリ２０２に記憶することができる。
【００６５】
さらに、廊下灯２０ａの廊下灯ＣＰＵ２０５は、子機ラインＬ1aが断線しておらず、さらには廊下灯２０ａの信号送信動作およびプレート子機１１ａ〜１４ａの信号受信／検出動作がそれぞれ正常な場合、ナースコール親機３０の親機ＣＰＵ３０９から伝送されてきた呼出確認信号を、子機側廊下灯信号送受信回路２０３、子機ラインＬ1a、プレート子機１１ａ〜１４ａの子機信号送受信回路１１６を経由して子機ＣＰＵ１１７にそれぞれ転送することができる。
【００６６】
プレート子機１１ａ〜１４ａの子機ＣＰＵ１１７は、それぞれナースコール親機３０の親機ＣＰＵ３０９から伝送されてきた呼出確認信号に付加されている子機ＩＤと自プレート子機に予め割り当てられている子機ＩＤとを照合する。ここでは、プレート子機１１ａの子機ＣＰＵ１１７のみ子機ＩＤが一致し、呼出確認灯１１１が所定のパターンで点滅／点灯される。この点滅／点灯により、ベッド子機１ａの呼出ボタン１００を使用して呼出操作を行った患者は、通常のナースコール呼び出しがナースコール親機３０にて正常に呼出検出され、呼出報知が行われたことを容易に確認することができる。
【００６７】
なお、子機ラインＬ1aの断線、廊下灯２０ａの信号送信動作の故障およびプレート子機１１ａ〜１４ａの信号受信／検出動作の故障のうち少なくとも何れか１のエラー（動作エラー）により異常が発生している場合には、プレート子機１１ａ〜１４ａの子機ＣＰＵ１１７にそれぞれ呼出確認信号が転送されることはない。
【００６８】
一方、廊下灯ラインＬ2の断線、ナースコール親機３０の信号送信動作の故障および廊下灯２０ａ、２０ｂ、・・・の信号受信／検出動作の故障のうち少なくとも何れか１のエラー（動作エラー）により異常が発生している場合、ナースコール親機３０の親機ＣＰＵ３０９は、プレート子機１１ａの子機ＣＰＵ１１７から伝送されてくるべき呼出信号を（正常に）検出できない。
【００６９】
また、廊下灯２０ａの廊下灯ＣＰＵ２０５では、プレート子機１１ａの子機ＣＰＵ１１７から伝送されてきた呼出信号を検出した時点より所定の時間が経過した後においても、ナースコール親機３０の親機ＣＰＵ３０９から伝送されてくるべき呼出確認信号を受信できず、ベッド子機１ａを使用した患者からの通常のナースコール呼び出しが親機ＣＰＵ３０９にて正常に検出（呼出検出）された旨の呼出確認情報の通信データログが、廊下灯メモリ２０２に記憶されることはない。
【００７０】
前述までの説明から明らかなように、呼出確認情報の通信データログが廊下灯２０ａの廊下灯メモリ２０２に何ら記憶されていないにも拘わらず、前述の呼出情報の通信データログが予め記憶されているとき、保守業者等が廊下灯操作部２０１を使用して所定の読出操作を行うと、この読出操作を検出した廊下灯ＣＰＵ２０５により制御される廊下灯表示部２００の画面上には、呼出情報の通信データログのみが所定のフォーマット、例えば、色彩の強調やその表示が拡大されたフォーマットの文字メッセージや絵データ等で通信時刻とともに表示される。これを確認した保守業者等は、ナースコール親機３０の親機メモリ３０７に予め記憶されている通信データログと比較／参照することにより、廊下灯ラインＬ2の断線、廊下灯２０ａの信号送信動作の故障およびナースコール親機３０の信号受信／検出動作の故障のうち少なくとも何れか１のエラー（動作エラー）により異常が発生していることを容易に推定でき、迅速な対応が可能となる。
【００７１】
次に、ベッド子機１ａを使用した患者からの通常のナースコール呼び出しがあることを確認したナースセンター内に在室中の看護師が親機操作部３０３を使用して所定の応答操作を行う、または送受話器３０４を取り上げる、ここでは、親機操作部３０３を使用して所定の応答操作を行うと、この応答操作を検出した親機ＣＰＵ３０９により親機音声コーデック３０５が能動となるように制御され、親機マイク３０２から親機音声コーデック３０５を経由して親機信号送受信回路３０８への信号伝送路（通話路）と、親機信号送受信回路３０８から親機音声コーデック３０５を経由して親機スピーカ３０１への信号伝送路（通話路）とがそれぞれ形成される。
【００７２】
また、ナースコール親機３０の親機ＣＰＵ３０９は、ベッド子機１ａを使用して通常のナースコール呼び出しを行った患者との間で通話が可能な通話状態である旨の報知について、親機表示部３００を使用して行うことができる。
【００７３】
具体的な報知としては、例えば、ナースコール親機３０の親機表示部３００を構成する複数個のＬＥＤのうち呼出元のベッド子機１ａ（プレート子機１１ａ）に予め割り当てられているＬＥＤを通常のナースコール呼び出しを示す所定のパターンから通話状態を示す所定のパターンの点滅／点灯へと切り替える。
【００７４】
なお、ナースコール親機３０の親機表示部３００として、例えば、ＬＣＤや有機ＥＬディスプレイの各種のディスプレイが適用されている場合には、その画面上に予め表示されているベッド子機１ａを使用した患者からの通常のナースコール呼び出しがある旨の文字メッセージや絵データ等が消去され、通話状態である旨の文字メッセージや絵データ等が表示される。
【００７５】
さらに、ナースコール親機３０の親機ＣＰＵ３０９は、プレート子機１１ａの通話機能を能動に制御するためのデータ信号として、プレート子機１１ａに予め割り当てられている子機ＩＤおよび廊下灯２０ａに予め割り当てられている廊下灯ＩＤを付加させた通話開始信号を生成する。この通話開始信号は、廊下灯ラインＬ2が断線しておらず、さらにはナースコール親機３０の信号送信動作および廊下灯２０ａ、２０ｂ、・・・の信号受信／検出動作がそれぞれ正常な場合、前述の呼出確認信号と同一の信号伝送路を経由して廊下灯２０ａ、２０ｂ、・・・の廊下灯ＣＰＵ２０５にそれぞれ伝送される。また、ナースコール親機３０の親機ＣＰＵ３０９は、ベッド子機１ａを使用した患者からの通常のナースコール呼び出しがある旨の呼出情報の通信データログを、通信時刻に割り当てて親機メモリ３０７に記憶することができる。
【００７６】
一方、廊下灯ラインＬ2の断線、ナースコール親機３０の信号送信動作の故障および廊下灯２０ａ、２０ｂ、・・・の信号受信／検出動作の故障のうち少なくとも何れか１のエラー（動作エラー）により異常が発生している場合には、廊下灯２０ａ、２０ｂ、・・・の廊下灯ＣＰＵ２０５にそれぞれ通話開始信号が伝送されることはないが、親機メモリ３０７には、ベッド子機１ａを使用した患者からの通常のナースコール呼び出しがある旨の呼出情報の通信データログが記憶されている。
【００７７】
ここで、廊下灯ラインＬ2が断線しておらず、さらにはナースコール親機３０の信号送信動作および廊下灯２０ａ、２０ｂ、・・・の信号受信／検出動作がそれぞれ正常な場合、廊下灯２０ａ、２０ｂ、・・・の廊下灯ＣＰＵ２０５は、それぞれナースコール親機３０の親機ＣＰＵ３０９から伝送されてきた通話開始信号に付加されている廊下灯ＩＤと自廊下灯に予め割り当てられている廊下灯ＩＤとを照合する。ここでは、廊下灯２０ａの廊下灯ＣＰＵ２０５のみ廊下灯ＩＤが一致し、ベッド子機１ａを使用して呼出操作を行った患者とナースセンター内に在室中の看護師との間で成立される通話が開始された通話状態である旨の通話開始情報の通信データログを通信時刻に割り当てて廊下灯メモリ２０２に記憶することができる。
【００７８】
さらに、廊下灯２０ａの廊下灯ＣＰＵ２０５は、子機ラインＬ1aが断線しておらず、さらには廊下灯２０ａの信号送信動作およびプレート子機１１ａ〜１４ａの信号受信／検出動作がそれぞれ正常な場合、ナースコール親機３０の親機ＣＰＵ３０９から伝送されてきた通話開始信号を、子機側廊下灯信号送受信回路２０３、子機ラインＬ1a、プレート子機１１ａ〜１４ａの子機信号送受信回路１１６を経由して子機ＣＰＵ１１７にそれぞれ転送することができる。
【００７９】
プレート子機１１ａ〜１４ａの子機ＣＰＵ１１７は、それぞれナースコール親機３０の親機ＣＰＵ３０９から伝送されてきた通話開始信号に付加されている子機ＩＤと自プレート子機に予め割り当てられている子機ＩＤとを照合する。ここでは、プレート子機１１ａの子機ＣＰＵ１１７のみ子機ＩＤが一致する。この子機ＣＰＵ１１７は、子機音声コーデック１１４および増幅器１１５がそれぞれ能動となるように制御し、子機マイク１１２から子機音声コーデック１１４を経由して子機信号送受信回路１１６への信号伝送路（通話路）と、子機信号送受信回路１１６から子機音声コーデック１１４、増幅器１１５を経由して子機スピーカ１１３への信号伝送路（通話路）とがそれぞれ形成される。
【００８０】
また、プレート子機１１ａの子機ＣＰＵ１１７は、呼出確認灯１１１を所定のパターンで点滅／点灯させることにより、ベッド子機１ａを使用して呼出操作を行った患者は、ナースセンター内に在室中の看護師との間で通話が開始された通話状態である旨を容易に確認することができる。
【００８１】
さらに、前述のようなナースコール親機３０の親機ＣＰＵ３０９およびプレート子機１１ａの子機ＣＰＵ１１７の制御により、ナースセンター内に在室中の看護師が使用する親機マイク３０２から親機音声コーデック３０５、親機信号送受信回路３０８、廊下灯ラインＬ2、廊下灯２０ａの親機側廊下灯信号送受信回路２０４、廊下灯ＣＰＵ２０５、子機側廊下灯信号送受信回路２０３、子機ラインＬ1a、プレート子機１１ａの子機信号送受信回路１１６、子機音声コーデック１１４、増幅器１１５を経由して子機スピーカ１１３までの信号伝送路（通話路）と、ベッド子機１ａを使用して通常のナースコール呼び出しを行った患者が使用する子機マイク１１２から子機音声コーデック１１４、子機信号送受信回路１１６、子機ラインＬ1a、廊下灯２０ａの子機側廊下灯信号送受信回路２０３、廊下灯ＣＰＵ２０５、親機側廊下灯信号送受信回路２０４、廊下灯ラインＬ2、ナースコール親機３０の親機信号送受信回路３０８、親機音声コーデック３０５を経由して親機スピーカ３０１までの信号伝送路（通話路）とがそれぞれ形成されることから、形成された通話路を経由して音声信号（アナログ音声信号、デジタル音声信号）を送受信させることで通話が成立する。
【００８２】
なお、子機ラインＬ1aの断線、廊下灯２０ａの信号送信動作の故障およびプレート子機１１ａ〜１４ａの信号受信／検出動作の故障のうち少なくとも何れか１のエラー（動作エラー）により異常が発生している場合には、プレート子機１１ａ〜１４ａの子機ＣＰＵ１１７にそれぞれ通話開始信号が転送されることはない。これにより、プレート子機１１ａの子機ＣＰＵ１１７による呼出確認灯１１１への通話状態表示の制御、子機音声コーデック１１４および増幅器１１５への通話路形成の制御が行われないことになる。
【００８３】
一方、廊下灯ラインＬ2の断線、ナースコール親機３０の信号送信動作の故障および廊下灯２０ａ、２０ｂ、・・・の信号受信／検出動作の故障のうち少なくとも何れか１のエラー（動作エラー）により異常が発生している場合、廊下灯２０ａの廊下灯ＣＰＵ２０５は、ナースコール親機３０の親機ＣＰＵ３０９から伝送されてくるべき通話開始信号を（正常に）受信できず、ベッド子機１ａを使用して呼出操作を行った患者とナースセンター内に在室中の看護師との間で成立される通話が開始された通話状態である旨の通話開始情報の通信データログが、廊下灯メモリ２０２に記憶されることはない。
【００８４】
前述までの説明から明らかなように、通話開始情報の通信データログが廊下灯２０ａの廊下灯メモリ２０２に何ら記憶されていないにも拘わらず、前述の呼出情報および呼出検出情報の通信データログが予め記憶されているとき、保守業者等が廊下灯操作部２０１を使用して所定の読出操作を行うと、この読出操作を検出した廊下灯ＣＰＵ２０５により制御される廊下灯表示部２００の画面上には、呼出情報および呼出検出情報の各通信データログが所定のフォーマット、例えば、色彩の強調やその表示が拡大されたフォーマットの文字メッセージや絵データ等でそれぞれの通信時刻とともに表示される。これを確認した保守業者等は、ナースコール親機３０の親機メモリ３０７に予め記憶されている通信データログと比較／参照することにより、廊下灯ラインＬ2の断線、ナースコール親機３０の信号送信動作の故障および廊下灯２０ａの信号受信／検出動作の故障のうち少なくとも何れか１のエラー（動作エラー）により異常が発生していることを容易に推定でき、迅速な対応が可能となる。
【００８５】
次に、ベッド子機１ａを使用して通常のナースコール呼び出しを行った患者とナースセンター内に在室中の看護師との間で通話が成立されているとき、当該通話を終了するため、看護師が親機操作部３０３を使用して所定の終話操作を行うと、この終話操作を検出した親機ＣＰＵ３０９により親機音声コーデック３０５が非能動となるように制御され、親機マイク３０２から親機音声コーデック３０５を経由して親機信号送受信回路３０８への信号伝送路（通話路）と、親機信号送受信回路３０８から親機音声コーデック３０５を経由して親機スピーカ３０１への信号伝送路（通話路）とがそれぞれ遮断される。
【００８６】
また、ナースコール親機３０の親機ＣＰＵ３０９は、親機表示部３００に表示させていた通話状態である旨の表示動作を停止することができる。
【００８７】
さらに、ナースコール親機３０の親機ＣＰＵ３０９は、プレート子機１１ａの通話機能が非能動となるように制御するためのデータ信号として、プレート子機１１ａに予め割り当てられている子機ＩＤおよび廊下灯２０ａに予め割り当てられている廊下灯ＩＤを付加させた通話終了信号を生成する。この通話終了信号は、廊下灯ラインＬ2が断線しておらず、さらにはナースコール親機３０の信号送信動作および廊下灯２０ａ、２０ｂ、・・・の信号受信／検出動作が正常な場合、前述の呼出確認信号および通話開始信号と同一の信号伝送路を経由して廊下灯２０ａ、２０ｂ、・・・の廊下灯ＣＰＵ２０５にそれぞれ伝送される。また、ナースコール親機３０の親機ＣＰＵ３０９は、ベッド子機１ａを使用した患者からの通常のナースコール呼び出しがある旨の呼出情報の通信データログを、通信時刻に割り当てて親機メモリ３０７に記憶することができる。
【００８８】
一方、廊下灯ラインＬ2の断線、ナースコール親機３０の信号送信動作の故障および廊下灯２０ａ、２０ｂ、・・・の信号受信／検出動作の故障のうち少なくとも何れか１のエラー（動作エラー）により異常が発生している場合には、廊下灯２０ａ、２０ｂ、・・・の廊下灯ＣＰＵ２０５にそれぞれ通話終了信号が伝送されることはない。
【００８９】
ここで、廊下灯ラインＬ2が断線しておらず、さらにはナースコール親機３０の信号送信動作および廊下灯２０ａ、２０ｂ、・・・の信号受信／検出動作がそれぞれ正常な場合、廊下灯２０ａ、２０ｂ、・・・の廊下灯ＣＰＵ２０５は、それぞれナースコール親機３０の親機ＣＰＵ３０９から伝送されてきた通話終了信号に付加されている廊下灯ＩＤと自廊下灯に予め割り当てられている廊下灯ＩＤとを照合する。ここでは、廊下灯２０ａの廊下灯ＣＰＵ２０５のみ廊下灯ＩＤが一致し、ベッド子機１ａを使用して呼出操作を行った患者とナースセンター内に在室中の看護師との間で通話が終了した旨の通話終了情報の通信データログを通信時刻に割り当てて廊下灯メモリ２０２に記憶することができる。
【００９０】
さらに、廊下灯２０ａの廊下灯ＣＰＵ２０５は、子機ラインＬ1aが断線しておらず、さらには廊下灯２０ａの信号送信動作およびプレート子機１１ａ〜１４ａの信号受信／検出動作がそれぞれ正常な場合、ナースコール親機３０の親機ＣＰＵ３０９から伝送されてきた通話開始信号を、前述の呼出確認信号および通話開始信号と同一の信号伝送路を経由してプレート子機１１ａ〜１４ａの子機ＣＰＵ１１７にそれぞれ転送することができる。
【００９１】
プレート子機１１ａ〜１４ａの子機ＣＰＵ１１７は、それぞれナースコール親機３０の親機ＣＰＵ３０９から伝送されてきた通話終了信号に付加されている子機ＩＤと自プレート子機に予め割り当てられている子機ＩＤとを照合する。ここでは、プレート子機１１ａの子機ＣＰＵ１１７のみ子機ＩＤが一致する。この子機ＣＰＵ１１７は、子機音声コーデック１１４および増幅器１１５がそれぞれ非能動となるように制御し、子機マイク１１２から子機音声コーデック１１４を経由して子機信号送受信回路１１６への信号伝送路（通話路）と、子機信号送受信回路１１６から子機音声コーデック１１４から増幅器１１５を経由して子機スピーカ１１３への信号伝送路（通話路）をそれぞれ遮断させる。
【００９２】
また、プレート子機１１ａの子機ＣＰＵ１１７は、所定のパターンで点滅／点灯されている呼出確認灯１１１を消灯させることにより、ベッド子機１ａを使用して呼出操作を行った患者は、ナースセンター内に在室中の看護師との間で成立されていた通話が終了したことを容易に確認することができる。
【００９３】
なお、子機ラインＬ1aの断線、廊下灯２０ａの信号送信動作の故障およびプレート子機１１ａ〜１４ａの信号受信／検出動作の故障のうち少なくとも何れか１のエラー（動作エラー）により異常が発生している場合には、プレート子機１１ａ〜１４ａの子機ＣＰＵ１１７にそれぞれ通話終了信号が転送されることはない。これにより、プレート子機１１ａの子機ＣＰＵ１１７による呼出確認灯１１１への通話終了表示の制御、子機音声コーデック１１４および増幅器１１５への通話路遮断の制御が行われないことになる。
【００９４】
一方、廊下灯ラインＬ2の断線、ナースコール親機３０の信号送信動作の故障および廊下灯２０ａ、２０ｂ、・・・の信号受信／検出動作の故障のうち少なくとも何れか１のエラー（動作エラー）により異常が発生している場合、廊下灯２０ａの廊下灯ＣＰＵ２０５は、ナースコール親機３０の親機ＣＰＵ３０９から伝送されてくるべき通話終了信号を正常に受信できず、ベッド子機１ａを使用して呼出操作を行った患者とナースセンター内に在室中の看護師との間で成立されていた通話が終了した旨の通話終了情報の通信データログが廊下灯メモリ２０２に記憶されることはないが、親機メモリ３０７には、ベッド子機１ａを使用した患者からの通常のナースコール呼び出しがある旨の呼出情報の通信データログが記憶されている。
【００９５】
前述までの説明から明らかなように、通話終了情報の通信データログが廊下灯２０ａの廊下灯メモリ２０２に何ら記憶されていないにも拘わらず、前述の呼出情報、呼出検出情報および通話開始情報の通信データログが予め記憶されているとき、保守業者等が廊下灯操作部２０１を使用して所定の読出操作を行うと、この読出操作を検出した廊下灯ＣＰＵ２０５により制御される廊下灯表示部２００の画面上には、呼出情報、呼出検出情報および通話開始情報の各通信データログが所定のフォーマット、例えば、色彩の強調やその表示が拡大されたフォーマットの文字メッセージや絵データ等でそれぞれの通信時刻とともに表示される。これを確認した保守業者等は、ナースコール親機３０の親機メモリ３０７に予め記憶されている通信データログと比較／参照することにより、廊下灯ラインＬ2の断線、ナースコール親機３０の信号送信動作の故障および廊下灯２０ａの信号受信／検出動作の故障のうち少なくとも何れか１のエラー（動作エラー）により異常が発生していることを容易に推定でき、迅速な対応が可能となる。
【００９６】
なお、前述までの説明によれば、ベッド子機１ａを使用した患者からの通常のナースコール呼び出しがあることを確認したナースセンター内に在室中の看護師による応答操作として、親機操作部３０３にて所定の応答操作が行われた場合について説明したが、この態様に限定されるものではない。すなわち、送受話器３０４を取り上げるような応答操作が行われた場合であっても同様なアナログ／デジタル変換およびデジタル／アナログ変換を、親機音声コーデック３０５を経由して行うことができる。
【００９７】
また、前述までの説明によれば、ナースコール親機３０の親機ＣＰＵ３０９にて通話終了信号を生成するにあたり、看護師が親機操作部３０３を使用して所定の終話操作を行った場合について説明したが、この態様に限定されるものではない。例えば、看護師が親機操作部３０３を使用して所定の応答操作を行った時点からリアルタイムクロック３０６にて所定の通話時間を計時させ、この計時がタイムアップとなったときに通話終了信号を生成することもできる。
【００９８】
さらに、廊下灯２０ａ、２０ｂ、・・・の廊下灯メモリ２０２には、前述の呼出情報のような通信データログのみならず、ナースコール親機３０の親機操作部３００を操作して入力される、または当該ナースコール親機との間でデータ通信が可能なサーバ（図示せず。）から転送され親機メモリ３０７に記憶されている内部エラー情報、例えば、オーダリングシステムとの通信エラーの通信データログや、患者情報、例えば、患者の救護区分、担当医師、診療科目等の情報の通信データログ等を通信時刻とともに記憶することができる。これら内部エラー情報や患者情報について廊下灯ラインＬ2上を伝送させるにあたっても、看護師等の施設管理者により廊下灯２０ａ、２０ｂ、・・・の廊下灯操作部２０１を使用して所定の読出操作が行われ、この読出操作を検出した廊下灯ＣＰＵ２０５により制御される廊下灯表示部２００の画面上に内部エラー情報、患者情報等の通信データログが表示されなかった場合、これを確認した看護師等の施設管理者は、廊下灯ラインＬ2の断線、ナースコール親機３０の信号送信動作の故障および廊下灯２０ａ、２０ｂ、・・・の信号受信動作の故障のうち少なくとも何れか１のエラー（動作エラー）により異常が発生していることを容易に推定でき、迅速な対応が可能となる。
【００９９】
次に、廊下灯２０ａ、２０ｂ、・・・の廊下灯表示部２００に各種の通信データログとともに表示される通信時刻を調整するにあたり、ナースセンター内に在室中の看護師は、ナースコール親機３０の親機操作部３０３を操作してリアルタイムクロック３０６にて計時されている時刻を確認し、必要に応じて修正することができる。
【０１００】
また、ナースコール親機３０の親機ＣＰＵ３０９は、リアルタイムクロック３０６にて例えば、１時間おきの間隔のような一定時間毎のタイミングで生成されている時刻調整信号を検出し、この時刻調整信号を、前述の呼出検出信号、通話開始信号および通話終了信号と同一の信号伝送路を経由して廊下灯２０ａ、２０ｂ、・・・の廊下灯ＣＰＵ２０５にそれぞれ送出することができる。
【０１０１】
廊下灯２０ａ、２０ｂ、・・・の廊下灯ＣＰＵ２０５は、それぞれナースコール親機３０の親機ＣＰＵ３０９から伝送されてきた時刻調整信号を検出すると、当該廊下灯ＣＰＵにて計時される時刻がナースコール親機３０のリアルタイムクロック３０６にて計時されている時刻と同一となるように制御される。
【０１０２】
なお、廊下灯２０ａ、２０ｂ、・・・の廊下灯ＣＰＵ２０５にて計時される時刻とナースコール親機３０のリアルタイムクロック３０６にて計時されている時刻とは、時間の経過とともに計時の誤差が発生する虞を有している。しかしながら、リアルタイムクロック３０６にて生成される時刻調整信号は一定時間毎のタイミングで廊下灯ＣＰＵ２０５に伝送されてくるため、計時の誤差の発生を容易に解消することができる。
【０１０３】
前述までの説明から明らかなように、廊下灯ラインＬ2上を伝送される呼出情報、内部エラー情報、患者情報等の通信データログを、通信時刻に割り当てて廊下灯２０ａ、２０ｂ、・・・の廊下灯メモリ２０２に記憶させ、必要に応じて廊下灯表示部２００の画面上に表示させるにあたって、この通信時刻は、ナースコール親機３０のリアルタイムクロック３０６にて計時されている時刻と整合性がとられているため、保守業者等は、廊下灯メモリ２０２に記憶されている通信データログと親機メモリ３０７に記憶されている通信データログとを時刻によって比較／参照するため、異常発生源をより正確に推定でき、迅速な対応が可能となる。
【０１０４】
また、本発明の実施例によれば、廊下灯２０ａ、２０ｂ、・・・の廊下灯表示部２００として、例えば、ＬＣＤ、有機ＥＬディスプレイ等の各種のディスプレイを適用したが、この態様に限定されるものではない。例えば、前述の各種のディスプレイのみならず、ベッド子機１ａ〜４ａ、１ｂ〜４ｂ、・・・からの呼び出しを、呼出種別毎異なるパターンで表示するべッド子機１ａ〜４ａ、１ｂ〜４ｂ、・・・（プレート子機１１ａ〜１４ａ、１１ｂ〜１４ｂ、・・・）毎にそれぞれ割り当てられた複数個のＬＥＤ等の発光素子との組み合せも好適とされる。
【０１０５】
さらに、本発明のナースコールシステムにおいては、特定の実施の形態をもって説明してきたが、この形態に限定されるものでなく、本発明の効果を奏する限り、これまで知られた如何なる構成のナースコールシステムであっても採用できるということはいうまでもないことである。例えば、ナースコール親機３０が複数台（３０、３０、・・・）設けられた当該ナースコールシステム、ナースコール親機３０および廊下灯２０ａ、２０ｂ、・・・の間を接続する廊下灯ラインＬ2上に制御機を設け、この制御機によって制御される看護師により携行可能な複数の携帯端末を有する当該ナースコールシステムも好適である。
【図面の簡単な説明】
【０１０６】
【図１】本発明の実施例によるナースコールシステムの全体構成を示すシステム説明図。
【図２】本発明の実施例によるナースコールシステムにおいて、プレート子機の具体的な構成を示すブロック図。
【図３】本発明の実施例によるナースコールシステムにおいて、廊下灯の具体的な構成を示すブロック図。
【図４】本発明の実施例によるナースコールシステムにおいて、ナースコール親機の具体的な構成を示すブロック図。
【符号の説明】
【０１０７】
１ａ〜４ａ、１ｂ〜４ｂ、・・・ ……ベッド子機
１１ａ〜１４ａ、１１ｂ〜１４ｂ、・・・ ……プレート子機
１１２……子機マイク（マイク）
１１３……子機スピーカ（スピーカ）
２０ａ、２０ｂ、・・・ ……廊下灯
２００……廊下灯表示部（表示部）
２０２……メモリ
２０５……廊下灯ＣＰＵ（ＣＰＵ）
３０……ナースコール親機
３０１……親機スピーカ（通話部）
３０２……親機マイク（通話部）
３０４……送受話器（通話部）
３０６……リアルタイムクロック
Ｌ1a、Ｌ1b、・・・ ……子機ライン
Ｌ2……廊下灯ライン
【図１】
2007229128.tif 000003
【図２】
2007229128.tif 000004
【図３】
2007229128.tif 000005
【図４】
2007229128.tif 000006